(57)【要約】【課題】  送電線のコロナ騒音等の問題がなく、確実に鳥害を防止することができる鳥害防止電線を提供する。【解決手段】  鳥害防止電線１は、主に電線３、磁性線材５等から構成される。電線３は通常の架空送電線等に用いられる電線である。電線３の外周には磁性線材５が所定ピッチで巻きつけられる。磁性線材５の巻きピッチは、鳥が磁性線材５の間に止まることができない程度であることが望ましく、たとえば、５〜１０ｍｍピッチである。磁性線材５は、強磁性体材料であり、例えば低キュリー材である鉄−ニッケル合金等を用いることができる。磁性線材５の外周には、所定ピッチで断熱材７が設けられる。断熱材７は、耐候性および断熱性に優れれば、いずれの材質でも良く、ゴム、プラスチック、ガラス、木材などが使用でき、特に望ましくは、ポリカーボネートやシリコーンゴムである。【選択図】図１
2011234425.tif 000002
【特許請求の範囲】
【請求項１】
電線と、前記電線の外周に設けられる磁性線材とを具備し、
前記磁性線材と前記電線の間の少なくとも一部には断熱材が設けられ、
前記磁性線材は、前記電線の外表面に対して、前記電線の径方向に離間して巻きつけられることを特徴とする鳥害防止電線。
【請求項２】
前記断熱材は、前記磁性線材の外周に間隔をあけて複数設けられ、前記磁性線材の前記断熱材が設けられていない部位と、前記電線の外表面との間には隙間が形成されることを特徴とする請求項１記載の鳥害防止電線。
【請求項３】
前記断熱材は、前記電線の外周に設けられる断熱層であり、前記磁性線材は、前記断熱層の外周に巻きつけられることを特徴とする請求項１記載の鳥害防止電線。
【請求項４】
前記断熱材は、ポリカーボネートまたはシリコーンゴムとしたことを特徴とする請求項１から請求項３のいずれかに記載の鳥害防止電線。
【請求項５】
前記磁性線材は、低キュリー材であることを特徴とする請求項１から請求項４のいずれかに記載の鳥害防止電線。
【請求項６】
前記電線は、耐熱アルミ合金線、超耐熱アルミ合金線、特別耐熱アルミ合金線のいずれかにより構成されることを特徴とする請求項１から請求項５のいずれかに記載の鳥害防止電線。
【発明の詳細な説明】
【技術分野】
【０００１】
本発明は、架空送電線用電線等の鳥害を防止するための鳥害防止電線に関するものである。
【背景技術】
【０００２】
一般に、架空送電用電線は鉄塔間等に架け渡されて用いられる。このような電線には、鳥がとまることがある。しかし、送電線に鳥がとまると、送電線下の工作物等が糞により汚染されるという問題がある。また、鳥が原因となり、電線と鉄塔等が短絡して、停電が発生する恐れがある。
【０００３】
このような送電線の鳥害を防止するために、電線に突起を有するリングを取り付ける方法がある。また、磁気を有するスパイラルロッドを電線に取り付けた鳥害防止装置がある（特許文献１）。
【先行技術文献】
【特許文献】
【０００４】
【特許文献１】特開２００１−１０３６４２号公報
【発明の概要】
【発明が解決しようとする課題】
【０００５】
しかし、突起付きのリングを送電線に取り付けると、突起により鳥は物理的に止まることができなくなるが、電線から発生するコロナ騒音が増大するという問題がある。また、特許文献１の装置では、磁界の強さには限界があるため、完全に鳥を寄せ付けないほどの効果は期待できないという問題がある。
【０００６】
一方、電線への雪の付着を防止するために用いる融雪電線がある。図６は融雪電線３０を示す図である。融雪電線３０は、裸電線である電線３１の周囲に磁性線材３３が直接巻きつけられて形成される。電線３１に交流電流が流れると、磁界が発生し、この磁界が強磁性体材料で構成される磁性線材３３に作用して、渦電流損やヒステレシス損などにより磁性線材３３が発熱する。
【０００７】
磁性線材３３が発熱することで、磁性線材３３の熱が電線３１に伝わり、電線３１の温度が上昇する。このため、電線３１に付着した雪等が融雪されるものである。しかし、融雪電線３０は、前述した突起付きリングのようなコロナの発生の怖れはないが、電線表面の温度が、雪を溶かす程度の０℃よりもわずかに高い温度とするために用いられるものであり、そもそも鳥害の防止効果が期待できるものではない。すなわち、融雪電線３０では、鳥害を防止するための機能は考慮されていなかった。
【０００８】
本発明は、このような問題に鑑みてなされたもので、送電線のコロナ騒音等の問題がなく、確実に鳥害を防止することができる鳥害防止電線を提供することを目的とする。
【課題を解決するための手段】
【０００９】
前述した目的を達するために本発明は、電線と、前記電線の外周に設けられる磁性線材とを具備し、前記磁性線材と前記電線の間の少なくとも一部には断熱材が設けられ、前記磁性線材は、前記電線の外表面に対して、前記電線の径方向に離間して巻きつけられることを特徴とする鳥害防止電線である。
【００１０】
ここで、電線の外表面とは、導体である金属線の外表面を指し、電線（金属線）の外周にシースが施される場合であっても、シース外表面ではなく金属線の外表面を指すものとする。
【００１１】
前記断熱材は、前記磁性線材の外周に間隔をあけて複数設けられ、前記磁性線材の前記断熱材が設けられていない部位と、前記電線の外表面との間には隙間が形成されてもよく、前記断熱材は、前記電線の外周に設けられる断熱層であり、前記磁性線材は、前記断熱層の外周に巻きつけられてもよい。
【００１２】
前記断熱材は、ポリカーボネートまたはシリコーンゴムであってもよい。前記磁性線材は、低キュリー材であってもよい。前記電線は、耐熱アルミ合金線、超耐熱アルミ合金線、特別耐熱アルミ合金線のいずれかにより構成されてもよい。
【００１３】
本発明によれば、磁性線材が電線から発生する交番磁界により発熱し、鳥がとまる部分が高温となり、鳥が電線に止まることを防止することができる。このため、鳥害を確実に防止することができる。
【００１４】
また、磁性線材と電線との間には、断熱材が設けられるため、磁性線材で発生した熱が電線に逃げることがない。このため、効率良く磁性線材を発熱させ、高温状態を得ることができる。
【００１５】
また、断熱材が磁性線材の外周に間隔をあけて複数設けられることで、電線の外周に磁性線材を巻きつけるだけで、磁性線材と電線との間に隙間が形成される。また、磁性線材と電線とが、断熱材を介して接触し、直接接触することがないため、磁性線材から電線への熱の移動を防止でき、効率良く磁性線材を高温状態に保つことができる。
【００１６】
また、電線の外周に断熱層を形成し、断熱層の外周に磁性線材を巻きつければ、磁性線材と電線とが断熱層を介して接触し、直接接触することがないため、磁性線材から電線への熱の伝達を防止でき、効率良く磁性線材を高温状態に保つことができる。なお、断熱材としてポリカーボネートまたはシリコーンゴムを用いれば、断熱効果が高い。
【００１７】
また、磁性線材が低キュリー材であれば、低温時には大きく発熱し、高温時のいては発熱量を抑えることができる。また、電線は、耐熱アルミ合金線、超耐熱アルミ合金線、特別耐熱アルミ合金線のいずれかにより構成されることで、電線自体の耐熱性が向上し、電線が高温となっても強度の劣化を抑制することができる。
【発明の効果】
【００１８】
本発明によれば、送電線のコロナ騒音等の問題がなく、確実に鳥害を防止することができる鳥害防止電線を提供することができる。
【図面の簡単な説明】
【００１９】
【図１】鳥害防止電線１を示す図。
【図２】鳥害防止電線１の断面図であり、（ａ）は全体図、（ｂ）は（ａ）のＡ部拡大図。
【図３】磁性線材５を示す図。
【図４】磁性線材５の断面図であり、（ａ）は図３のＢ−Ｂ線断面図、（ｂ）は図３のＣ−Ｃ線断面図。
【図５】鳥害防止電線１を示す図であり、（ａ）は正面図、（ｂ）は断面図。
【図６】融雪電線３０を示す図。
【発明を実施するための形態】
【００２０】
以下、図面を参照しながら、本発明の実施形態について説明する。図１は、鳥害防止電線１を示す図である。鳥害防止電線１は、主に電線３、磁性線材５等から構成される。
【００２１】
電線３は通常の架空送電線等に用いられる電線である。電線３は外周にシース等がなされておらず、金属導体が露出している。電線３は、例えば断面積８１０ｍｍ２程度である。電線３としては、一般的なＡＳＣＲ（鋼線アルミニウム撚り線）等を用いることができるが、より望ましくは、耐熱アルミ合金線、超耐熱アルミ合金線、特別耐熱アルミ合金線が用いられた電線である。通常のＡＳＣＲは許容温度が９０℃であるのに対し、上述した各種耐熱アルミニウム合金を用いることで、１５０℃以上であっても強度劣化を防止することができる。
【００２２】
なお、耐熱アルミ合金線は、電気規格調査会規格（ＪＥＣ規格）において、ＪＥＣ−３４０６「耐熱アルミニウム合金線」に規定されている。また、超耐熱アルミ合金線および特別耐熱アルミ合金線は、日本電線工業会規格（ＪＣＳ規格）において、それぞれ、ＪＣＳ−１４０５「亜鉛メッキインバ心超耐熱アルミ合金より線」、ＪＣＳ−１４０４「アルミ覆インバ心特別耐熱アルミ合金より線」に規定されている。
【００２３】
電線３の外周には磁性線材５が所定ピッチで巻きつけられる。磁性線材５の巻きピッチは、鳥が磁性線材５の巻き間に止まることができない程度であることが望ましく、たとえば、５〜１０ｍｍピッチである。
【００２４】
磁性線材５の外径は適宜設定されるが、太くしすぎると、電線表面の凹凸が大きくなり、宙乗機を使用することができない。このため、磁性線材５の外径は５ｍｍ以下であることが望ましい。また、磁性線材５の外径を細くしすぎると、大きな発熱量を得ることが困難である。したがって、特に望ましい磁性線材５の外径としては、例えば２〜３ｍｍφである。
【００２５】
磁性線材５は、強磁性体材料であり、例えば低キュリー材である鉄−ニッケル合金等を用いることができる。鉄−ニッケル合金等の低キュリー材を用いることで、鉄のみの場合よりもキュリー温度を低く設定することができる。すなわち、キュリー温度を低くすることで、高温時の磁気特性を低くすることができる。このため、低温時に大きく発熱させるが、高温時には過剰な発熱を抑制することができる。なお、低キュリー材のキュリー温度としては、例えば８０℃程度であればよい。
【００２６】
磁性線材５の外周には、所定ピッチで断熱材７が設けられる。断熱材７の取り付けピッチについては後述する。断熱材７は、耐候性および断熱性に優れれば、いずれの材質でも良く、ゴム、プラスチック、ガラス、木材などが使用でき、特に望ましくは、ポリカーボネートやシリコーンゴムである。なお、断熱材が導電性または半導電性を有すれば、コロナ防止の効果がある。
【００２７】
断熱材７の厚さとしては、０．５〜５ｍｍ程度であることが望ましく、さらに好ましくは１〜２ｍｍである。厚さが０．５ｍｍ未満では、断熱効果が小さく、また、５ｍｍを超えると、磁性線材５と電線３との距離が大きくなり、このため、磁束密度が低下し、十分な発熱量を得ることができなくなるためである。なお、断熱材厚さが２ｍｍ厚以下であれば、コロナの問題も生じず、磁性線材５の温度を高温（例えば８０℃以上）とすることが可能となる。また、高い断熱効果を得るためには、材質にもよるが１ｍｍ厚以上であることが望ましい。
【００２８】
図２は、鳥害防止電線１の断面図であり、図２（ａ）は全体図、図２（ｂ）は図２（ａ）のＡ部拡大図である。前述の通り、磁性線材５は電線３の外周に巻きつけられる。この際、磁性線材５と電線３とは直接接触することがない。すなわち、図２（ｂ）に示すように、磁性線材５と電線表面９との間には、隙間１０が形成される。すなわち、磁性線材５は断熱材７を介して電線３の外周に巻きつけられる。なお、電線表面９とは導体である金属線の表面である。
【００２９】
したがって、断熱材７は、断熱材７の厚みを考慮して、磁性線材５が電線３と接触しない程度のピッチ以上に長手方向に離間して設けられる必要がある。一方、鳥が断熱材７上に止まることができると、鳥害防止効果が薄れる。このため、断熱材７の大きさおよび断熱材７の設置ピッチは、磁性線材５の電線３への直接接触を防止でき、かつ、鳥が断熱材７（または隣接する断熱材同士）に止まることができない程度である必要がある。断熱材７としては、例えば５〜１０ｍｍ程度の長さで、１０〜２０ｍｍピッチ程度で巻きつけられれば良い。
【００３０】
次に、磁性線材５の内部構造を説明する。図３、図４は磁性線材５を示す図であり、図３は全体正面図、図４（ａ）は図３のＢ−Ｂ線断面図、図４（ｂ）は図３のＣ−Ｃ線断面図である。
【００３１】
図４（ａ）に示すように、磁性線材５は、内部が鉄−ニッケル等の磁性材１１であり、外周がアルミニウム合金１３で構成される。このような磁性線材５は、前述した融雪線材として利用されるものを使用できる。
【００３２】
また、図４（ｂ）に示すように、断熱材７位置では、断熱材７がアルミニウム合金１３の外周に形成される。
【００３３】
このような磁性線材５を図１に示すように電線に巻きつけ、電線に電流を流すと、磁性線材５が発熱する。磁性線材５は電線３と断熱されているため、磁性線材５で発熱した熱の電線３への伝達が抑制され、磁性線材５自体の温度が上昇する。このため、磁性線材５の表面が極めて高温となる。
【００３４】
磁性線材５の表面温度が高温となると、鳥が触れることができなくなる。また、磁性線材５は、鳥害防止電線１に鳥が止まろうとすると、必ず、高温の磁性線材５に触れることとなるようなピッチで巻きつけられる。したがって、鳥が鳥害防止電線１にとまることができなくなる。さらに、磁性線材５の断熱材７の大きさおよびピッチは鳥がとまることができない程度に設定されているため、断熱材７上に鳥がとまることもない。
【００３５】
なお、鳥がとまることができない磁性線材５の温度としては、例えば６０℃以上の温度であることが望ましく、さらに望ましくは８０℃以上である。このような温度となるように、磁性線材５の材質、外径、および巻きピッチ等を設定すれば良い。
【００３６】
以上説明したように、第１の実施形態にかかる鳥害防止電線１によれば、鳥がとまることができないように、電線表面に高温となる磁性線材５を巻きつけるため、確実に鳥害を防止することができる。また、磁性線材５には断熱材７が設けられるため、磁性線材５から電線３への熱の移動を最低限にとどめ、効率良く磁性線材５の表面温度を上げることができる。
【００３７】
また、副次的な効果として、磁性線材の熱により、着雪・落雪防止の効果が望める。さらに、電線３の周囲が高温となるため、電線３への水分の付着等を防止でき、電線の腐食対策の効果を得ることもできる。
【００３８】
次に、第２の実施の形態について説明する。図５は、第２の実施の形態にかかる鳥害防止電線２０を示す図であり、図５（ａ）は全体図、図５（ｂ）は断面図である。なお、以下の説明において、鳥害防止電線１と同様の機能を奏する構成については、図１等と同様の符号を付し、重複した説明を省略する。
【００３９】
鳥害防止電線２０は、鳥害防止電線１と略同様の構成であるが、電線３に、断熱材として断熱被覆２１を設ける点で異なる。鳥害防止電線２０の電線３の外周には、例えばテープ状の断熱テープが巻きつけられる。断熱被覆２１は、電線３の全長にわたって設けられる必要はなく、鳥害の恐れのある部位のみに設ければよい。したがって、電線３全体に樹脂被覆押し出しを形成してもよいが、必要に応じて必要箇所のみに断熱テープや筒状部材等を設けることが望ましい。
【００４０】
断熱被覆２１の材質としては、耐候性に優れ、断熱効果があれば良く、ゴム、プラスチック、ガラス、木材などが使用でき、特に望ましくは、ポリカーボネートやシリコーンゴムである。また、テープとしては、樹脂テープ、ガラス繊維テープ等が使用できる。
【００４１】
なお、断熱被覆２１の厚さは、前述した断熱材７の厚さと同様に、断熱効果および磁性線材の発熱効果を考慮して、０．５〜５ｍｍ程度であることが望ましく、さらに好ましくは１〜２ｍｍである。なお、断熱被覆２１の厚さが厚すぎると、磁性線材の発熱量が小さくなることに加え、電線３の熱放散が抑制され、電線３の異常発熱等の問題が生じる恐れがある。
【００４２】
断熱被覆２１が設けられるため、磁性線材５には断熱材は不要である。すなわち、磁性線材５は、断熱被覆２１を介して電線３に巻きつけられ、電線３と磁性線材５とは直接接触することがない。なお、断熱被覆２１は、完全に電線３を被覆する必要はなく、磁性線材５が電線３と触れない程度の隙間が形成されてもよい。たとえば、磁性線材５の巻きつけ方向と断熱テープの巻きつけ方向を反対方向とすることで、断熱テープの巻きつけピッチが断熱テープの幅よりも多少大きくても、磁性線材５が断熱テープ間に落ち込み、電線３と触れることがない。
【００４３】
第２の実施形態にかかる鳥害防止電線２０によれば、鳥害防止電線１と同様の効果を得ることができる。また、磁性線材５に断熱材を設ける必要がなく、確実に電線３と磁性線材５との接触に伴う熱伝達を抑制することができる。
【００４４】
なお、図１に示した鳥害防止電線１と、図６に示した融雪電線３０それぞれについて、同一条件における磁性線材の温度を調査した結果、磁性線材と電線との直接接触を防止して断熱材を設けた実施例（図１）では、磁性線材表面温度が６０℃以上に達したのに対し、電線表面に直接磁性線材を巻きつけたもの（図６）では、３５℃程度であった。すなわち、磁性線材と電線との接触により、磁性線材で発生した熱が電線に熱伝達することで、図６に示した融雪電線３０では、磁性線材の温度が低下したものといえる。これに対し、本発明のように、磁性線材から電線への熱の移動を妨げることで、効率良く磁性線材の温度を上げることができる。
【００４５】
以上、添付図を参照しながら、本発明の実施の形態を説明したが、本発明の技術的範囲は、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【００４６】
たとえば、磁性線材５の外周に設ける断熱材７は、磁性線材５の外周全周を覆う必要はなく、磁性線材５と電線３との間に断熱材７が介在するように、磁性線材５の周方向に部分的に磁性線材が露出していてもよい。すなわち、磁性線材５と電線３との間に隙間が生じればよい。また、断熱被覆２１は、磁性線材５の巻きつけ位置に形成されれば、電線３表面の一部が露出していてもよい。また、図示した電線３に代えて、ヒレ付き電線を用いても、磁性線材５とヒレ付き電線（金属線）表面との間に断熱材が形成されることで、同様の効果を得ることができる。
【符号の説明】
【００４７】
１、３０………鳥害防止電線
３………電線
５………磁性線材
７………断熱材
９………電線表面
１０………隙間
１１………磁性材
１３………アルミニウム合金
１５………回路導体
２１………断熱被覆
３０………融雪電線
３１………電線
３３………磁性線材
【図１】
2011234425.tif 000003
【図２】
2011234425.tif 000004
【図３】
2011234425.tif 000005
【図４】
2011234425.tif 000006
【図５】
2011234425.tif 000007
【図６】
2011234425.tif 000008